【手続補正書】
【提出日】平成25年4月23日(2013.4.23)
【手続補正１】
【補正対象書類名】明細書
【補正対象項目名】発明の名称
【補正方法】変更
【補正の内容】
【発明の名称】カラーシフト低減光学フィルム及びこれを具備するディスプレイ装置
【手続補正２】
【補正対象書類名】明細書
【補正対象項目名】０００１
【補正方法】変更
【補正の内容】
【０００１】
本発明は、ディスプレイ装置用光学フィルム及びこれを具備するディスプレイ装置に係り、より詳しくは、屈折率勾配を有するディスプレイ装置用カラーシフト低減光学フィルム及びこれを具備するディスプレイ装置に関する。
【手続補正３】
【補正対象書類名】明細書
【補正対象項目名】００１９
【補正方法】変更
【補正の内容】
【００１９】
本発明の目的は、視聴角の増大に伴うカラーシフト現象を改善することができるディスプレイ装置用光学フィルム及びディスプレイ装置を提供することにある。
【手続補正４】
【補正対象書類名】明細書
【補正対象項目名】００２０
【補正方法】変更
【補正の内容】
【００２０】
本発明の他の目的は、ガンマカーブの歪み及び階調反転を改善することができるディスプレイ装置用光学フィルム及びこれを具備するディスプレイ装置を提供することにある。
【手続補正５】
【補正対象書類名】明細書
【補正対象項目名】００２１
【補正方法】変更
【補正の内容】
【００２１】
本発明のまた他の目的は、カラーシフト現象を改善し、且つ、ヘイズの発生を抑制することで明室明暗比及びイメージ解像度の低下を改善し、二重像の発生を抑制することができるディスプレイ装置用光学フィルム及びこれを具備するディスプレイ装置を提供することにある。
【手続補正６】
【補正対象書類名】明細書
【補正対象項目名】００２３
【補正方法】変更
【補正の内容】
【００２３】
前記目的を達成するために、本発明は、層をなすバックグラウンド層と、前記バックグラウンド層に形成される複数のレンズ部とを含み、前記レンズ部の屈折率と前記バックグラウンド層の屈折率は、前記レンズ部の屈折率から漸進的に前記バックグラウンド層の屈折率に変化していく屈折率勾配を有し、ディスプレイ装置のディスプレイパネルから出射する光のうち、前記レンズ部に入射した光の出射方向を分散させて、互いに離間した前記レンズ部の間を通過する光と混合させることを特徴とするディスプレイ装置用カラーシフト低減光学フィルムを提供する。
【手続補正７】
【補正対象書類名】特許請求の範囲
【補正対象項目名】全文
【補正方法】変更
【補正の内容】
【特許請求の範囲】
【請求項１】
層をなすバックグラウンド層と、
前記バックグラウンド層に形成される複数のレンズ部とを含み、
前記レンズ部と前記バックグラウンド層は、前記レンズ部から前記バックグラウンド層に向かって漸進的に屈折率が変化する屈折率勾配を有し、
ディスプレイ装置のディスプレイパネルから出射する光のうち、前記レンズ部に入射した光の出射方向を分散させて、互いに離間した前記レンズ部の間を通過する光と混合させることを特徴とするディスプレイ装置用カラーシフト低減光学フィルム。
【請求項２】
前記レンズ部の幅方向に沿った屈折率勾配を有することを特徴とするディスプレイ装置用カラーシフト低減光学フィルム。
【請求項３】
前記レンズ部は、前記バックグラウンド層と隣接する１Ｌ部位を有し、
前記バックグラウンド層は、１Ｂ部位ないしｎＢ部位を有し、前記１Ｂ部位は、前記ｎＢ部位よりも前記１Ｌ部位に近く、
前記１Ｂ部位の屈折率は、前記ｎＢ部位の屈折率よりも前記１Ｌ部位の屈折率に近いことを特徴とする請求項１に記載のディスプレイ装置用カラーシフト低減光学フィルム。
【請求項４】
前記１Ｌ部位、前記１Ｂ部位ないし前記ｎＢ部位は、前記レンズ部の幅方向に沿って配列され、前記レンズ部の幅方向に沿って１次元屈折率勾配を有することを特徴とする請求項３に記載のディスプレイ装置用カラーシフト低減光学フィルム。
【請求項５】
前記ｎは、２以上の自然数であることを特徴とする請求項３に記載のディスプレイ装置用カラーシフト低減光学フィルム。
【請求項６】
前記バックグラウンド層は、前記レンズ部と隣接する１Ｂ部位を有し、
前記レンズ部は、１Ｌ部位ないしｎＬ部位を有し、前記１Ｌ部位は、前記ｎＬ部位よりも前記１Ｂ部位に近く、
前記１Ｌ部位の屈折率は、前記ｎＬ部位の屈折率よりも前記１Ｂ部位の屈折率に近いことを特徴とする請求項１に記載のディスプレイ装置用カラーシフト低減光学フィルム。
【請求項７】
前記１Ｂ部位、前記１Ｌ部位ないし前記ｎＬ部位は、前記レンズ部の幅方向に沿って配列され、前記レンズ部の幅方向に沿って１次元屈折率勾配を有することを特徴とする請求項６に記載のディスプレイ装置用カラーシフト低減光学フィルム。
【請求項８】
前記ｎは、２以上の自然数であることを特徴とする請求項６に記載のディスプレイ装置用カラーシフト低減光学フィルム。
【請求項９】
前記レンズ部の幅方向に沿った１次元屈折率勾配のみを有することを特徴とする請求項１に記載のディスプレイ装置用カラーシフト低減光学フィルム。
【請求項１０】
前記レンズ部の深さ方向に沿った中心線を対称軸として屈折率対称をなすことを特徴とする請求項９に記載のディスプレイ装置用カラーシフト低減光学フィルム。
【請求項１１】
前記レンズ部は、多角形断面ストライプパターン、多角形断面波パターン、多角形断面マトリックスパターン、多角形断面ハニカムパターン、多角形断面ドットパターン、多角形断面同心円パターン、半円形断面ストライプパターン、半円形断面波パターン、半円形断面マトリックスパターン、半円形断面ハニカムパターン、半円形断面ドットパターン、半円形断面同心円パターン、半楕円形断面ストライプパターン、半楕円形断面波パターン、半楕円形断面マトリックスパターン、半楕円形断面ハニカムパターン、半楕円形断面ドットパターン、半楕円形断面同心円パターン、半卵形（ｏｖａｌ）断面ストライプパターン、半卵形断面波パターン、半卵形断面マトリックスパターン、半卵形断面ハニカムパターン、半卵形断面ドットパターン、及び半卵形断面同心円パターンのいずれかを有することを特徴とする請求項１に記載のディスプレイ装置用カラーシフト低減光学フィルム。
【請求項１２】
前記レンズ部は、前記バックグラウンド層に埋め込まれていることを特徴とする請求項１に記載のディスプレイ装置用カラーシフト低減光学フィルム。
【請求項１３】
前記バックグラウンド層は、自己粘着性を持つことを特徴とする請求項１に記載のディスプレイ装置用カラーシフト低減光学フィルム。
【請求項１４】
請求項１に記載のカラーシフト低減光学フィルムを含むことを特徴とするディスプレイ装置。
【請求項１５】
前記カラーシフト低減光学フィルムの前記レンズ部は、前記ディスプレイパネルと向き合う前記バックグラウンド層の背面に形成されることを特徴とする請求項１４に記載のディスプレイ装置。
【請求項１６】
前記カラーシフト低減光学フィルムは、前記ディスプレイ装置の前記ディスプレイパネルに密着されることを特徴とする請求項１４に記載のディスプレイ装置。
【請求項１７】
前記カラーシフト低減光学フィルムは、粘着剤を介して前記ディスプレイパネルに粘着されることを特徴とする請求項１６に記載のディスプレイ装置。
【請求項１８】
前記バックグラウンド層は、自己粘着性を持ち、前記ディスプレイパネルに直接付着されることを特徴とする請求項１６に記載のディスプレイ装置。